(57)【要約】      （修正有）【課題】設置スペースを小型化できて、照光部以外の部分への光漏れを起こしにくいイルミネーション装置を提供すること、及びこれを用いた電子機器を提供する。【解決手段】板状に形成され、略中央部にそれぞれ所要形状の透孔１１１，１３１が開設された導光体１１及び基板１３を、接着剤又は粘着剤を介して貼り合わせ、所要のイルミネーション装置２Ａとする。このイルミネーション装置２Ａは、ＬＥＤ１２の出射光を導光体の側面に設定された入光部１１４より入光し、これと直交する導光体１１の表面の透孔１１１の周囲に設定された出光部１１２から出光する。【選択図】図４
2011124089.tif 000002
【特許請求の範囲】
【請求項１】
所要形状の透孔が開設された基板と、
前記基板上に実装された光源と、
前記透孔に対応した開口部、前記光源からの出射光を入光する入光部及び前記開口部の周囲に設けられた出光部を有し、前記基板上に接合されて前記入光部から前記出光部へ光を導く導光体とを備え、
前記透孔の周囲を照光することを特徴とするイルミネーション装置。
【請求項２】
請求項１に記載のイルミネーション装置において、前記導光体の前記出光部を取り囲む位置に、前記発光ダイオードの出射光を前記出光部に導くと共に、前記導光体の外周端面からの光の漏れ出しを防止又は抑制するためのスリット及びハーフスリットを形成したことを特徴とするイルミネーション装置。
【請求項３】
請求項１又は請求項２に記載のイルミネーション装置において、前記導光体の前記入光部と前記出光部との間に、前記発光ダイオードの出射光を拡散させる透過散乱樹脂層を形成したことを特徴とするイルミネーション装置。
【請求項４】
請求項１乃至請求項３のいずれか１項に記載のイルミネーション装置において、前記導光体の外周端面を傾斜面とし、この導光体の傾斜面に白色の塗装を施すことを特徴とするイルミネーション装置。
【請求項５】
請求項２に記載のイルミネーション装置において、前記入光部から見て前記ハーフスリットの外側に、前記出光部及び前記ハーフスリットを通過した光を拡散させる透過散乱樹脂層を形成したことを特徴とするイルミネーション装置。
【請求項６】
請求項１乃至請求項５のいずれか１項に記載のイルミネーション装置において、前記導光体及び基板の両端部に、これらを電子機器に取り付ける際に使用する位置決め孔を開設したことを特徴とするイルミネーション装置。
【請求項７】
請求項３又は請求項６に記載のイルミネーション装置において、前記透過散乱樹脂層は、前記導光体に開設された透過散乱樹脂層形成用のスリット内に透過散乱樹脂を充填することにより形成されることを特徴とするイルミネーション装置。
【請求項８】
請求項１に記載のイルミネーション装置において、前記導光体に開設される透孔を、裏面側から表面側に至るに従って直径が小さくなる傾斜面に形成し、かつこの傾斜面に白色の塗装を施すことを特徴とするイルミネーション装置。
【請求項９】
請求項８に記載のイルミネーション装置において、前記基板の前記導光体が貼り付けられる面に白色の塗装又は白色のレジストを施すと共に、この基板の裏面全体に銅箔を設けることを特徴とするイルミネーション装置。
【請求項１０】
請求項８又は請求項９に記載のイルミネーション装置において、前記基板の裏面の前記透孔の周囲に遮光性のあるクッション材を取り付けることを特徴とするイルミネーション装置。
【請求項１１】
所要形状の透孔が開設された基板と、前記基板上に実装された光源と、前記透孔に対応した開口部、前記光源からの出射光を入光する入光部及び前記開口部の周囲に設けられた出光部を有し、前記基板上に接合されて前記入光部から前記出光部へ光を導く面状の導光体とを備え、前記透孔の周囲を照光するイルミネーション装置と、
所要形状の開口部を有し、該開口部と前記基板に開設された透孔とを略一致させて前記イルミネーション装置が内面に貼り付けられた外装ケースと、
前記筺体の開口部に対応する位置に電子部品が設けられたメインボードとを備えたことを特徴とする照光式電子機器。
【請求項１２】
請求項１１に記載の照光式電子機器において、前記開口部は外部コネクタの挿入孔であり、前記開口部が形成された前記外装ケースの内面には、メインボードに実装された内部コネクタが配置され、前記メインボード及び前記外装ケースの内面に貼り付けられた前記イルミネーション装置の基板が、前記メインボードに設けられた弾性を有する接点及び前記基板に形成された電極を介して電気的に接続されていることを特徴とする照光式電子機器。
【請求項１３】
請求項１２に記載の照光式電子機器において、前記電極は、前記基板に開設された透孔を介してその両側に配置することを特徴とする照光式電子機器。
【請求項１４】
請求項１１に記載の照光式電子機器において、前記開口部はカメラ装置を保護するために外装ケースに備えられるレンズカバーの設定孔であり、前記外装ケースの内面に貼り付けられた前記イルミネーション装置の背面側には、カメラモジュール及びスプリングピンが実装されたメインボードが平行に配置され、前記カメラモジュールが前記イルミネーション装置の基板に密着されると共に、前記メインボード及び前記基板が、前記メインボードに設けられた弾性を有する接点及び前記基板に形成された電極を介して電気的に接続されていることを特徴とする照光式電子機器。
【請求項１５】
請求項１４に記載の照光式電子機器において、前記外装ケースの内面に、前記イルミネーション装置の導光体を収納するための掘り込み部を形成したことを特徴とする照光式電子機器。
【請求項１６】
請求項１４又は請求項１５に記載の照光式電子機器において、前記外装ケースに開設された開口部の直径をＷｃ、前記レンズカバーに施される塗装部の内径をＷＬ、前記出光部の外径をＷｉとしたとき、これら各部のサイズを、Ｗｉ＜ＷＬ＜Ｗｃとしたことを特徴とする照光式電子機器。
【請求項１７】
請求項１４乃至請求項１６のいずれか１項に記載の照光式電子機器において、前記メインボードに、前記外装ケースに備えられたシャッターボタンの操作状態に応じて、前記カメラモジュールの駆動と停止、及び前記発光ダイオードの駆動と停止を制御するコントローラを備え、このコントローラは、前記シャッターボタンが操作されたとき、前記カメラモジュールを駆動して、前記発光ダイオードの駆動を停止することを特徴とする照光式電子機器。
【請求項１８】
請求項１４乃至請求項１６のいずれか１項に記載の照光式電子機器において、前記メインボードに、前記外装ケースに備えられたシャッターボタンの操作状態に応じて、前記外装ケースに備えられた液晶表示装置の駆動と停止、及び前記発光ダイオードの駆動と停止を制御するコントローラを備え、このコントローラは、前記液晶表示装置に画像を表示する際に、前記発光ダイオードの駆動を停止することを特徴とする照光式電子機器。
【発明の詳細な説明】
【技術分野】
【０００１】
本発明は、デザイン性や機能性を高めるための照光部が設けられた照光式電子機器と、照光式電子機器の外装ケース内に備えられて所要の照光部を光らせるイルミネーション装置とに係り、特に、外装ケースに設けられた開口の外周部分を照光部とする照光式電子機器と、これに好適なイルミネーション装置とに関する。
【背景技術】
【０００２】
従来、電子機器のデザイン性や機能性を高めるため、電子機器に内蔵されて、電子機器の所定部分を照光するイルミネーション装置が知られている（例えば、特許文献１，２参照。）。この種のイルミネーション装置は、光源である発光ダイオード（以下、本明細書では、これを「ＬＥＤ」と略称する。）と、ＬＥＤから出射された光を所要の照光部まで導く導光体（ライドガイド）とから主に構成される。
【０００３】
特許文献１に記載のイルミネーション装置は、携帯電話機等に備えられるコネクタの周囲を輪状に照光するもので、図１６に示すように、内部空間内にコネクタ１０１が収納された筒状のライトガイド１０２と、コネクタ１０１と共にプリント基板１０３に実装された２つのＬＥＤ１０４とからなる。ライトガイド１０２の左右両側面には、ＬＥＤ収納用の凹部１０５が設けられており、各ＬＥＤ１０４は、１つずつ当該凹部１０５内に収納され、プリント基板１０３の実装面に対して垂直な方向に光を出射する。ＬＥＤ１０４から出射された光は、ライトガイド１０２に導かれて円周方向に伝播し、ライトガイド１０２の前面、即ち、コネクタ１０１に対する図示しない外部コネクタの挿抜側に出光される。したがって、本例のイルミネーション装置によると、コネクタ１０１の外周部を輪状に照光することができる。
【０００４】
特許文献２に記載のイルミネーション装置は、カメラ装置に備えられる撮像レンズの周囲を照光するもので、図１７に示すように、カメラ装置の正面ケース２０１に取り付けられ、同じく正面ケース２０１に取り付けられる撮像レンズ２０２と同心に配置されるリング状の導光体２０３と、カメラ装置の内部空間内に収納された配線基板２０４に実装され、所要の間隙を隔てて導光体２０３の受光部２０３ａと対向に配置された２つのＬＥＤ２０５とからなる。ＬＥＤ２０５から出射された光は、受光部２０３ａで受光され、導光体２０３に導かれて円周方向に伝播し、導光体２０３の前面、即ち、正面ケース２０１の外面側に出光される。したがって、本例のイルミネーション装置によると、撮像レンズ２０２の外周部を輪状に照光することができる。
【先行技術文献】
【特許文献】
【０００５】
【特許文献１】特開２００９−１４０７６３号公報
【特許文献２】特開２００７−１８０９７７号公報
【発明の概要】
【発明が解決しようとする課題】
【０００６】
しかしながら、特許文献１に記載のイルミネーション装置は、ライトガイド１０２が筒状に形成されると共に、照光部であるライトガイド１０２の前面に対して、コネクタ１０１及びＬＥＤ１０４を実装するプリント基板１０３が垂直に配置されるので、イルミネーション装置の設置に大きなスペースが必要になり、電子機器の小型化が難しいという問題がある。
【０００７】
また、特許文献２に記載のイルミネーション装置は、導光体２０３がやや薄肉のリング状に形成され、かつ照光部である導光体２０３の前面に対して、ＬＥＤ２０５を実装する配線基板２０４を平行に配置するので、特許文献１に記載のイルミネーション装置に比べて、その設置スペースを小さなものにすることができる。しかし、特許文献２に記載のイルミネーション装置は、導光体２０３が白色又は白濁色又は半透明の原料をもって形成されており、導光体２０３の厚み方向で光を減衰させる構成であるので、光を十分に減衰させるためにはある程度の厚みを必要とすると共に、導光体２０３の背面側にＬＥＤ２０５を配置する構成であるので、より小型の電子機器には適用し難い。また、導光体２０３と配線基板２０４との間に間隙が設けられることから、導光体２０３と配線基板２０４の間から横方向に漏れる光が多く、カメラ装置に適用した場合には、その光学系に悪影響を与えたり、電子機器を構成するケースの継ぎ目等から光が漏れ出して、電子機器の品位を下げるといった問題を生じやすい。
【０００８】
本発明は、かかる従来技術の問題を解決するためになされたものであり、その目的は、設置スペースを小型化できて、照光部以外の部分への光漏れを起こしにくいイルミネーション装置を提供すること、及びこれを用いた電子機器を提供することにある。
【課題を解決するための手段】
【０００９】
本発明は、前記課題を解決するため、イルミネーション装置に関しては、所要形状の透孔が開設された基板と、前記基板上に実装された光源と、前記透孔に対応した開口部、前記光源からの出射光を入光する入光部及び前記開口部の周囲に設けられた出光部を有し、前記基板上に接合されて前記入光部から前記出光部へ光を導く面状の導光体とを備え、前記透孔の周囲を照光するという構成にした。
【００１０】
かかる構成によると、光源の実装基板上に面状の導光体を接合するので、薄型に形成することができ、電子機器内における設置スペースを小さなものにすることができる。また、光源の実装基板上に面状の導光体を接合することから、これら基板と導光体との間からの光漏れがなく、電子機器の品位を保つことができると共に、カメラ装置に適用した場合にも光学系に悪影響を与えることがない。
【００１１】
また本発明は、前記構成のイルミネーション装置において、前記導光体の前記出光部を取り囲む位置に、前記発光ダイオードの出射光を前記出光部に導くと共に、前記導光体の外周端面からの光の漏れ出しを防止又は抑制するためのスリット及びハーフスリットを形成したことを特徴とする。
【００１２】
導光板にスリット（貫通孔）を形成すると、スリット形成部より外側への光の伝播を遮断することができる。また、導光板にハーフスリット（凹溝）を形成すると、ハーフスリット形成部より外側への光の伝播をその深さに応じて抑制することができる。よって、全体として、導光板の外周端面からの光の漏れ出しを抑制することができ、イルミネーション装置を内蔵した電子機器の品位を劣化させることがなく、かつ出光部からの光の取り出し効率を高めることができる。
【００１３】
また本発明は、前記構成のイルミネーション装置において、前記導光体の前記入光部と前記出光部との間に、前記発光ダイオードの出射光を拡散させる透過散乱樹脂層を形成したことを特徴とする。
【００１４】
かかる構成によると、発光ダイオードの設置部位の近傍で、発光ダイオードの出射光が透過散乱樹脂層により拡散されるので、周辺に比べて輝度が格段に高いホットスポットができにくく、照光部の照光品質を良好なものにすることができる。また、発光ダイオードの出射光が透過散乱樹脂層により拡散されることから、出光部から出射される光の指向性が緩和され、斜め方向から見たときにも、光った状態の照光部を視認することができる。
【００１５】
また本発明は、前記構成のイルミネーション装置において、前記導光体の外周端面を傾斜面とし、この導光体の傾斜面に白色の塗装を施すことを特徴とする。
【００１６】
導光体の外周端面を傾斜面にすると、導光体内を伝播した光が傾斜面にて反射され、光の伝播方向が導光体の面方向に変更されるので、外周端面からの光の漏れ出しを防止することができる。また、この傾斜面に白色の塗装を施すと、導光体の外周端面に達した光が白色の塗装によって拡散されるので、出光部から出射される光の指向性が緩和され、斜め方向から見たときにも、光った状態の照光部を視認することができる。
【００１７】
また本発明は、前記構成のイルミネーション装置において、前記入光部から見て前記ハーフスリットの外側に、前記出光部及び前記ハーフスリットを通過した光を拡散させる透過散乱樹脂層を形成したことを特徴とする。
【００１８】
かかる構成によると、ハーフスリットを通り抜けた光を、ハーフスリットの外側に配置された透過散乱樹脂層にて拡散させ、出光部側から出光することができるので、出光部側から出射される光の指向性が緩和され、斜め方向から見たときにも、光った状態の照光部を視認することができる。
【００１９】
また本発明は、前記構成のイルミネーション装置において、前記導光体及び基板の両端部に、これらを電子機器に取り付ける際に使用する位置決め孔を開設したことを特徴とする。
【００２０】
位置決め孔は、電子装置の外装ケースに形成された位置決め突起を嵌入することにより、外装ケースの所定位置にイルミネーション装置を設定するものである。これら位置決め孔と位置決め突起の組み合わせを用いることにより、外装ケースに開設された開口部とイルミネーション装置に開設された透孔とを同心に配置することができ、照光部の美観を良好なものにすることができる。
【００２１】
また本発明は、前記構成のイルミネーション装置において、前記透過散乱樹脂層は、前記導光体に開設された透過散乱樹脂層形成用のスリット内に透過散乱樹脂を充填することにより形成されることを特徴とする。
【００２２】
かかる構成によると、導光体に開設されたスリット内に透過散乱樹脂を充填するだけで所定形状の透過散乱樹脂層を形成できるので、透過散乱樹脂層の形成を容易なものにすることができる。
【００２３】
また本発明は、前記構成のイルミネーション装置において、前記導光体に開設される透孔を、裏面側から表面側に至るに従って直径が小さくなる傾斜面に形成し、かつこの傾斜面に白色の塗装を施すことを特徴とする。
【００２４】
透孔を傾斜面にすると、導光体内を伝播した光が傾斜面にて反射され、光の伝播方向が導光体の面方向に変更されるので、透孔からの光の漏れ出しを防止することができる。また、この傾斜面に白色の塗装を施すと、導光体の透孔開設部に達した光が白色の塗装によって拡散されるので、出光部から出射される光の指向性が緩和され、斜め方向から見たときにも、光った状態の照光部を視認することができる。
【００２５】
また本発明は、前記構成のイルミネーション装置において、前記基板の前記導光体が貼り付けられる面に白色の塗装又は白色のレジストを施すと共に、この基板の裏面全体に銅箔を設けることを特徴とする。
【００２６】
基板の導光体が貼り付けられる面に白色の塗装又は白色のレジストを施すと、導光体を透過して基板に達した光を拡散し、導光体に戻すことができるので、光の無駄を抑制することができ、照光部の輝度を高めることができる。また、基板によって光を拡散することから、出光部から出射される光の指向性が緩和され、斜め方向から見たときにも、光った状態の照光部を視認することができる。一方、基板の裏面全体を銅箔にて覆うと、基板の裏面側に漏れた光の拡散を抑制することができるので、基板の裏面側に例えばカメラモジュールなどの光学装置が配置される場合において、光学装置への拡散光の入射を防止又は抑制することができ、光学装置への悪影響を防止することができる。
【００２７】
また本発明は、前記構成のイルミネーション装置において、前記基板の裏面の前記透孔の周囲に遮光性のあるクッション材を取り付けることを特徴とする。
【００２８】
かかる構成によると、基板の裏面側に例えばカメラモジュールなどの光学装置が配置される場合において、光学装置の入光部を遮光性のあるクッション材に押し付けることにより、仮に基板の裏面側に光が漏れた場合にも、入光部への漏れ光の入光を防止できるので、光学装置への悪影響を防止することができる。
【００２９】
一方、照光式電子機器に関して、本発明は、所要形状の透孔が開設された基板と、前記基板上に実装された光源と、前記透孔に対応した開口部、前記光源からの出射光を入光する入光部及び前記開口部の周囲に設けられた出光部を有し、前記基板上に接合されて前記入光部から前記出光部へ光を導く面状の導光体とを備え、前記透孔の周囲を照光するイルミネーション装置と、所要形状の開口部を有し、該開口部と前記基板に開設された透孔とを略一致させて前記イルミネーション装置が内面に貼り付けられた外装ケースと、前記筺体の開口部に対応する位置に電子部品が設けられたメインボードとを備えたことを特徴とする。
【００３０】
かかる構成によると、光源の実装基板と面状の導光体とを接合してなる薄型のイルミネーション装置を、外装ケースの内面に貼り付けるので、外装ケース内におけるイルミネーション装置の設置スペースを小さなものにすることができ、電子機器の小型化を図ることができる。また、イルミネーション装置として、光源の実装基板と面状の導光体とを接合してなるものを用いるので、これら基板と導光体との間からの光漏れがなく、高品位の電子機器とすることができると共に、カメラ装置に適用した場合にも光学系に悪影響を与えることがない。
【００３１】
また本発明は、前記構成の照光式電子機器において、前記開口部は外部コネクタの挿入孔であり、前記開口部が形成された前記外装ケースの内面には、メインボードに実装された内部コネクタが配置され、前記メインボード及び前記外装ケースの内面に貼り付けられた前記イルミネーション装置の基板が、前記メインボードに設けられた弾性を有する接点及び前記基板に形成された電極を介して電気的に接続されていることを特徴とする。
【００３２】
かかる構成によると、内部コネクタの外周を、イルミネーション装置の出光部から出射される光で照光することができる。また、メインボードと基板とをスプリングピンや板ばねなどの弾性を有する接点を介して接続するので、両者の接続を容易かつ確実に行うことができ、電子機器の耐久性及び信頼性を高めることができる。
【００３３】
また本発明は、前記構成の照光式電子機器において、前記電極は、前記基板に開設された透孔を介してその両側に配置することを特徴とする。
【００３４】
かかる構成によると、電極に接続される電子機器側の接続手段の設定間隔を十分に大きくすることができるので、電子機器側に複数の接続手段を備える場合、その設定を容易化することができる。また、接続手段として複数のスプリングピンを用いる場合、電極位置が十分に離れた位置に設定されていると、スプリングピンによってイルミネーション装置を均等に押圧することができるので、外装ケースに対するイルミネーション装置の取り付け安定性を高めることができる。
【００３５】
また本発明は、前記構成の照光式電子機器において、前記開口部はカメラ装置を保護するために外装ケースに備えられるレンズカバーの設定孔であり、前記外装ケースの内面に貼り付けられた前記イルミネーション装置の背面側には、カメラモジュール及びスプリングピンが実装されたメインボードが平行に配置され、前記カメラモジュールが前記イルミネーション装置の基板に密着されると共に、前記メインボード及び前記基板が、前記メインボードに設けられた弾性を有する接点及び前記基板に形成された電極を介して電気的に接続されていることを特徴とする。
【００３６】
かかる構成によると、レンズカバー設定孔の内周を、イルミネーション装置の出光部から出射される光で照光することができる。また、メインボードと基板とを弾性を有する接点を介して接続するので、両者の接続を容易かつ確実に行うことができ、電子機器の耐久性及び信頼性を高めることができる。
【００３７】
また本発明は、前記構成の照光式電子機器において、前記外装ケースの内面に、前記イルミネーション装置の導光体を収納するための掘り込み部を形成したことを特徴とする。
【００３８】
かかる構成によると、イルミネーション装置の導光体を外装ケースの内面に形成された掘り込み部内に収納し、その外面を基板にて覆うことができるので、導光体の外周端面から放射された光を掘り込み部内に閉じ込めることができ、外装ケースの隙間からの光漏れや、外装ケース内に収納された光学装置への悪影響を完全に防止することができる。
【００３９】
また本発明は、前記構成の照光式電子機器において、前記外装ケースに開設された開口部の直径をＷｃ、前記レンズカバーに施された塗装部の内径をＷＬ、前記出光部の外径をＷｉとしたとき、これら各部のサイズを、Ｗｉ＜ＷＬ＜Ｗｃとしたことを特徴とする。
【００４０】
かかる構成によると、イルミネーション装置に形成される出光部の外径Ｗｉを、外装ケースに開設された開口部の直径Ｗｃ及びレンズカバーに施される塗装部の内径ＷＬよりも小さくするので、照光部を斜め方向から見たときに、照光部が外装ケースやレンズカバーの陰になりにくく、照光部を所定のリング状に視認することができる。
【００４１】
また本発明は、前記構成の照光式電子機器において、前記メインボードに、前記外装ケースに備えられたシャッターボタンの操作状態に応じて、前記カメラモジュールの駆動と停止、及び前記発光ダイオードの駆動と停止を制御するコントローラを備え、このコントローラは、前記シャッターボタンが操作されたとき、前記カメラモジュールを駆動して、前記発光ダイオードの駆動を停止することを特徴とする。
【００４２】
かかる構成によると、シャッターボタンの操作に連動して発光ダイオードの駆動を停止するので、イルミネーション装置から出射される光がカメラモジュールに入射せず、カメラモジュール本来の特性を発揮することができる。
【００４３】
また本発明は、前記構成の照光式電子機器において、前記メインボードに、前記外装ケースに備えられたシャッターボタンの操作状態に応じて、前記外装ケースに備えられた液晶表示装置の駆動と停止、及び前記発光ダイオードの駆動と停止を制御するコントローラを備え、このコントローラは、前記液晶表示装置に画像を表示する際に、前記発光ダイオードの駆動を停止することを特徴とする。
【００４４】
かかる構成によると、液晶表示装置の駆動タイミングと発光ダイオードの駆動タイミングを逆にするので、液晶表示装置と発光ダイオードとが同時に駆動されず、照光式電子機器の省電力化を図ることができる。
【発明の効果】
【００４５】
本発明のイルミネーション装置は、光源の実装基板上に面状の導光体を接合するので、薄型に形成することができ、電子機器内における設置スペースを小さなものにすることができる。また、光源の実装基板上に面状の導光体を接合することから、これら基板と導光体との間からの光漏れがなく、電子機器に適用した場合に外装ケースからの光漏れを防止できると共に、外装ケース内に内蔵された光学系への悪影響を防止することができる。
【００４６】
本発明の照光式電子機器は、薄型に形成されたイルミネーション装置を、外装ケースの内面に貼り付けるので、外装ケース内におけるイルミネーション装置の設置スペースを小さなものにすることができ、電子機器の小型化を図ることができる。また、イルミネーション装置として、光源の実装基板上に面状の導光体を接合したものを用いるので、これら基板と導光体との間からの光漏れがなく、導光体からの光漏れに起因する不都合を起こしにくい電子機器とすることができる。
【図面の簡単な説明】
【００４７】
【図１】第１実施形態に係る照光式電子機器の分解斜視図である。
【図２】第１実施形態に係る照光式電子機器の外装ケースに対するイルミネーション装置の取り付け状態を示す斜視図である。
【図３】第１実施形態に係る照光式電子機器の組み立て状態を示す斜視図である。
【図４】第１実施形態に係るイルミネーション装置の分解斜視図である。
【図５】第１実施形態に係る導光板の平面図である。
【図６】図５の一部省略したＡ−Ａ拡大断面図である。
【図７】第１実施形態に係る照光式電子機器のイルミネーション装置に対するメインボードの配置を示す断面図である。
【図８】第１実施形態に係るイルミネーション装置における光の伝播状態を示す平面図である。
【図９】第２実施形態に係る照光式電子機器の分解斜視図である。
【図１０】第２実施形態に係るイルミネーション装置の分解斜視図である。
【図１１】第２実施形態に係るイルミネーション装置の表面図である。
【図１２】第２実施形態に係るイルミネーション装置の裏面図である。
【図１３】第２実施形態に係る照光式電子機器の外装ケースの内面図である。
【図１４】第２実施形態に係る照光式電子機器の断面図である。
【図１５】第２実施形態に係る照光式電子機器を構成する各部の寸法関係を説明する説明図である。
【図１６】公知に係るイルミネーション装置の第１例を示す斜視図である。
【図１７】公知に係るイルミネーション装置の第２例を示す分解斜視図である。
【発明を実施するための形態】
【００４８】
〈第１実施形態〉
以下、本発明に係る照光式電子機器及びこれに用いるイルミネーション装置の第１実施形態を、図１乃至図８を用いて説明する。
【００４９】
本例の照光式電子機器は、外装ケースに開設された外部コネクタ挿入孔の周囲を輪状に照光するものであり、図１に示すように、側面に外部コネクタ挿入孔１ａが開設された外装ケース１と、外装ケース１の内面の外部コネクタ挿入孔１ａの開設位置に設定されるイルミネーション装置２Ａと、内部コネクタ３及びスプリングピン４が実装されたメインボード５を有している。なお、外装ケース１内には照光式電子機器の種別に応じてその機能を発揮するための電子回路及び電子装置が内蔵されると共に、外装ケース１の開口部には所要のカバー部材が被着されるが、これらについては本発明の要旨ではなく、かつ公知に属する技術であるので、説明を省略する。
【００５０】
一般に、電子機器に備えられる内部コネクタ３には、電源コネクタ、通信コネクタ及び外部機器接続用のＵＳＢ（Universal Serial Buss）コネクタなどがあり、外装ケース１には、内蔵するコネクタの種類に応じた適宜の形状及びサイズの外部コネクタ挿入孔１ａが開設される。図１は、ＵＳＢコネクタ用の外部コネクタ挿入孔１ａを１つのみ開設した例を示しているが、その他のコネクタに対応する外部コネクタ挿入孔であってもよく、また数量についても、１以上の任意の数とすることができる。イルミネーション装置２Ａは、図２に示すように、外装ケース１の内面の外部コネクタ挿入孔１ａの開設位置に取り付けられる。また、メインボード５は、図３に示すように、内部コネクタ３を外部コネクタ挿入孔１ａに臨ませるようにして、外装ケース１の内底面に設定される。メインボード５を外装ケース１の内底面に設定したとき、スプリングピン４の先端部がイルミネーション装置２の所定の位置に形成された電極（図４参照）に自動的に接触し、イルミネーション装置２Ａとメインボード５とが、電気的に接続される。
【００５１】
イルミネーション装置２Ａは、図４に示すように、厚さが０．１ｍｍ〜０．５ｍｍ程度の透明なプラスチック材料を用いて形成された導光体１１と、ＬＥＤ１２が実装された基板１３と、導光体１１と基板１３とを貼り合わせる第１両面粘着シート１４と、ＬＥＤ１２の封止樹脂１５と、導光体１１内に埋設される第１及び第２の透過散乱樹脂１６，１７と、第１透過散乱樹脂１６を基板１３に貼り合わせる第２両面粘着シート１８と、導光体１１を外装ケース１に接合する第３両面粘着シート１９とから構成される。
【００５２】
導光体１１は、図５に示すように、平面形状が、四隅部に丸みを有する略長方形に形成され、その外周端部は、図６に示すように、表裏面に対して４５度の角度で傾斜する傾斜面になっている。
【００５３】
図５に示すように、この導光体１１の中央部よりもやや長さ方向の一端寄りに偏倚する位置には、外装ケース１に開設された外部コネクタ挿入孔１ａと同形で、外部コネクタ挿入孔１ａよりも小サイズの透孔１１１が開設され、この透孔１１１の外周が輪状の出光部１１２になっている。また、長さ方向の他の一端寄りであって、一側辺寄りに偏倚した位置には、ＬＥＤ１２を挿入するためのＬＥＤ挿入孔１１３が開設され、該ＬＥＤ挿入孔１１３の透孔１１１側の面が入光部１１４になっている。また、透孔１１１を介してその長さ方向の両端側には、第１透過散乱樹脂１６を収納するための弧状の第１透過散乱樹脂設定孔１１５と、第２透過散乱樹脂１７を収納するための弧状の第２透過散乱樹脂設定孔１１６が開設される。さらに、ＬＥＤ１２の一側辺と対向する位置から、透孔１１１と第２透過散乱樹脂設定孔１１６の間を通って、ＬＥＤ１２の他方の側面と対向する位置まで達する略「し」の字状のスリット１１７が形成される。スリット１１７は、ＬＥＤ１２の一側辺と対向する位置から透孔１１１と第２透過散乱樹脂設定孔１１６の間を通過する位置まで形成される非貫通スリット（即ち、底面を有する凹溝）１１７ａと、それと連続的に形成されて、ＬＥＤ１２の他方の側面と対向する位置まで形成される貫通スリット１１７ｂとからなる。スリット１１７は、ＬＥＤ１２から出射されて、導光体１１の外周端面まで達する光を抑制するために設けられるものであり、言うまでもなく貫通スリット１１７ｂの方が、非貫通スリット１１７ａよりも光を遮断する効果が高い。その反面、貫通スリット１１７ｂの形成長さが長くなると、導光体１１の剛性が低下し、その取扱い性が悪くなる。非貫通スリット１１７ａの形成長さ及び貫通スリット１１７ｂの形成長さは、これらを考慮して、適宜の範囲に設定される。加えて、この導光体１１の長さ方向の両端部には、外装ケース１に対するイルミネーション装置２の位置決めを行うための位置決め孔１１８が開設される。
【００５４】
図６に示すように、導光体１１の傾斜面には、ＬＥＤ１２から出射されて導光体１１の外周端面に達した光を拡散して出光部１１２に戻すための白色の塗装１１９と、黒色の塗装１２０とがこの順に施される。
【００５５】
ＬＥＤ１２は、公知に属する任意のものを用いることができるが、導光体１１の外周端部からの不正な出光を抑制するため、片面出射型のＬＥＤを用い、出射面を透孔１１１側に向けて設定することが特に望ましい。
【００５６】
基板１３は、フレキシブルな絶縁シートの表面に図示しない所要の電気配線を形成してなるもので、図４に示すように、外形が導光体１１とほぼ同形の略長方形に形成され、導光体１１に開設された透孔１１１と対応する部分及び位置決め孔１１８と対応する部分に、それぞれ透孔１３１及び位置決め孔１３２が開設される。また、導光体１１に開設されたＬＥＤ挿入孔１１３と対応する位置には、ＬＥＤ１２が実装される。さらに、基板１３の背面側には、図４に破線で示すように、所要の数（図４の例では、２個）の電極１３３が形成される。基板１３に複数個の電極１３３を形成する場合、各電極１３３は、図４に示すように、基板１３に開設された透孔１３１を介してその両側に配置される。その設定間隔は、電極１３３に対する電子機器側の接続手段としてスプリングピン４を用いた場合に、スプリングピン４によってイルミネーション装置２が均等に押圧され、電子機器の外装ケースに対するイルミネーション装置２Ａの取り付け安定性を高めるため、なるべく大きくすることが望ましい。基板１３の表面、即ち、導光体１１と対向する面には、導光体１１から漏れ出した光を拡散して導光体に戻すための白色の塗装又は白色のレジストが施される。
【００５７】
第１両面粘着シート１４は、導光体１１の外周部分、ＬＥＤ挿入孔１１３の外周部分及び第２透過散乱樹脂１７の設定部分を基板１３に貼り合わせる形状に形成される。また、第２両面粘着シート１８は、第１透過散乱樹脂１６を基板１３に貼り合わせる形状に形成される。これらの各両面粘着シート１４，１８は、不正な光漏れを防止するため、遮光性を有するものを用いることが望ましい。
【００５８】
ＬＥＤ１２の封止樹脂１５並びに第１及び第２の透過散乱樹脂１６，１７は、図４に示すように、所要のプラスチック材料を用いて予め所要の形状に形成されたものを、導光体１１に開設されたＬＥＤ挿入孔１１１、第１透過散乱樹脂設定孔１１５及び第２透過散乱樹脂設定孔１１６内に嵌入することにより設定できる。なお、かかる方法に代えて、これらの各樹脂１５，１６，１７の設定を容易にするため、導光体１１と基板１３とを貼り合わせた後に、各孔１１１，１１５，１１６内に所要の樹脂をポッティングすることによっても形成することができる。
【００５９】
第３両面粘着シート１９は、図４に示すように、導光体１１及び基板１３の長さ方向の端部に対応する形状に形成されており、導光体１１に開設された位置決め孔１１８と対応する位置には、これと同形の位置決め孔１９１が開設されている。この第３両面粘着シート１９としても、不正な光漏れを防止するため、遮光性を有するものを用いることが望ましい。
【００６０】
イルミネーション装置２Ａの組立ては、以下の手順で行われる。即ち、まず、導光板１１の裏面に、第１両面粘着シート１４及び第２両面粘着シート１８の片面を位置決めして貼り合わせる。次いで、第１両面粘着シート１４を介して導光板１１の裏面に、基板１３の白色の塗装又は白色のレジストが施された面を貼り合わせる。次いで、ＬＥＤ１２の封止樹脂１５を導光体１１に開設されたＬＥＤ挿入孔１１１内に嵌入し、その裏面を第１両面粘着シート１４に貼り合わせる。また、第２透過散乱樹脂１７を導光体１１に開設された第２透過散乱樹脂設定孔１１６内に嵌入し、その裏面を第１両面粘着シート１４に貼り合わせる。さらに、第１透過散乱樹脂１６を導光体１１に開設された第１透過散乱樹脂設定孔１１５内に嵌入し、その裏面を第２両面粘着シート１８に貼り合わせる。最後に、導光体１１の表面に、第３両面粘着シート１９の片面を位置決めして貼り合わせる。このように、本例のイルミネーション装置２Ａは、薄板状の導光板１１と基板１３とを両面粘着シート１４，１８を介して貼り合わせてなるので、きわめて薄型に形成することができ、外装ケース１内における設定スペースを小さなものにすることができる。
【００６１】
本例のイルミネーション装置２Ａは、図２に示すように、導光体１１に開設された透孔１１１と照光式電子機器の外装ケース１に開設された外部コネクタ挿入孔１ａとを同心に配置した状態で、第３両面粘着シート１９を介して外装ケース１の内面に貼り付けられる。また、図３及び図７に示すように、外装ケース１の内面に貼り付けられたイルミネーション装置２Ａの背面側には、内部コネクタ３及びスプリングピン４が実装されたメインボード５が配置され、内部コネクタ３が外装ケース１に開設された外部コネクタ挿入孔１ａに臨んで配置されると共に、スプリングピン４が基板１３の裏面側に形成された電極１３３に接続される。スプリングピン４は、図７（ａ）に示すように、メインボード５の片面にのみ実装することもできるし、図７（ｂ）に示すように、メインボード５の表裏両面に分けて実装することもできる。
【００６２】
なお、本実施形態においては、各部材の接合手段として両面粘着シートを用いたが、これに代えて、接着剤を用いることもできる。また、本実施形態においては、導光体１１の外周端面を４５度の傾斜面としたが、外周端面の傾斜角度については、必要に応じて適宜変更することができる。
【００６３】
以下、本実施形態に係る照光式電子機器の照光方式について説明する。
【００６４】
ＬＥＤ１２を駆動すると、ＬＥＤ１２から出射された光が入光部１１４から導光体１１内に導入され、導光体１１の表面と裏面との間で全反射を繰り返して面方向に伝播する。入光部１１４の両側にはスリット１１７が形成されており、スリット１１７の形成部よりも外側への光の伝播が抑制されるので、図８に示すように、入光部１１４から入射した光は、ほとんどがスリット１１７にて囲まれた領域内に集中する。よって、出光部１１２の輝度を高めることができ、照光部の照光品質が高い照光式電子機器とすることができる。
【００６５】
導光体１１の外周端面に達した光は、この面が４５度の角度に傾斜する傾斜面に形成されているので、該傾斜面にて反射されて光の伝播方向が導光体１１の内周方向に変更される。よって、該傾斜面に白色と塗装１１９と黒色の塗装１２０をこの順に施したことと相まって、外周端面からの光の漏れ出しが抑制されると共に、出光部１１２の輝度を高めることができる。また、該傾斜面には、白色の塗装１１９が施されているので、導光体１１の外周端面に達した光は、この白色の塗装１１９によって拡散され、導光体１１の外周端面にて反射され、出光部１１２から出射される光は、指向性が緩和される。よって、外部コネクタ挿入孔１ａを斜め方向から見た場合にも、周囲がきれいな輪状に光る外部コネクタ挿入孔１ａを視認することができる。
【００６６】
さらに、入光部１１４に入射した光は、第１透過散乱樹脂１６を透過することによって散乱され、導光体１１の面方向に広く拡散される。これにより、入光部１１４の近傍にホットスポットができにくく、輪状の出光部１１２の全体から均一に光を出射できるので、外部コネクタ挿入孔１ａの周囲を均一な輪状に光らせることができる。また、表面に白色の塗装又は白色のレジストが施された基板１３を導光体１１の裏面側に配置したので、入光部１１４から出光部１１２まで伝播する過程で導光体１１の裏面側に漏れた光を、当該白色の塗装又は白色のレジストで拡散して導光板１１内に戻すことができる。よって、光の無駄を防止できると共に、出光部１１２から放射される光の指向性を緩和することができて、外部コネクタ挿入孔１ａを斜め方向から見た場合にも、周囲がきれいな輪状に光る外部コネクタ挿入孔１ａを視認することができる。
【００６７】
ＬＥＤ１２から出射され、透孔１１１及びハーフスリット１１７ａを通過した光は、第２透過散乱樹脂１７を透過することによって散乱され、直接又は導光体１１の外周端面を介して出光部１１２に戻される。よって、第２透過散乱樹脂１７を透過した後に出光部１１２から出射される光の指向性を緩和することができて、外部コネクタ挿入孔１ａを斜め方向から見た場合にも、周囲がきれいな輪状に光る外部コネクタ挿入孔１ａを視認することができる。
【００６８】
さらに加えて、導光体１１と基板１３とは、第１両面粘着シート１４を介して貼り合わされているので、これら導光体１１と基板１３の間を通って、イルミネーション装置２Ａの側面方向にＬＥＤ１２の出射光が漏れ出すことがない。よって、導光体１１の外周端面からの光漏れが防止されていることと相まって、外装ケース１の内部への光漏れが発生せず、外装ケース１と図示しないカバー部材の継ぎ目からの光漏れを生じて、照光式電子機器の品位が低下するといった不都合を解消できる。
【００６９】
〈第２実施形態〉
次に、本発明に係る照光式電子機器及びこれに用いるイルミネーション装置の第２実施形態を、図９乃至図１５を用いて説明する。
【００７０】
本例の照光式電子機器は、携帯電話機の外装ケースに取り付けられるカメラ用レンズカバーの内周を輪状に照光するものであり、図９に示すように、正面にレンズカバー６の設定孔１ｂが開設された外装ケース１と、外装ケース１の内面のレンズカバー設定孔１ｂの開設位置に設定されるイルミネーション装置２Ｂと、カメラ装置７及びスプリングピン４が実装されたメインボード５を有している。なお、本例の照光式電子機器も、基本的な構成については、前述した第１実施形態に係る照光式電子機器と同等であるので、以下においては、第１実施形態に係る照光式電子機器と異なる部分について主に説明し、同一または相当する部分については、同一の符号を付して説明を省略する。
【００７１】
本実施形態に係るイルミネーション装置２Ｂは、図１０に示すように、厚さが０．１ｍｍ〜０．５ｍｍ程度の透明なプラスチック材料を用いて形成された導光体１１と、ＬＥＤ１２が実装された基板１３と、導光体１１と基板１３とを貼り合わせる第１両面粘着シート１４と、導光体１１を外装ケース１に接合する第３両面粘着シート１９とからなる。
【００７２】
導光板１１は、基板１３よりも小型に形成されており、左右両側面が入光部１１４に、中央部に開設された透孔１１１の外周が輪状の出光部１１２になっていて、導光板１１の外形は、入光部１１４から入射された光が出光部１１２の全周から均等に出射されるように設計されている。また、透孔１１１は、裏面側（基板１３側）から表面側に至るに従って直径が小さくなる傾斜角度が４５度の傾斜面に形成され、かつこの傾斜面には、白色の塗装が施される。
【００７３】
一方、本実施形態に係る基板１３は、表面に白色の塗装又は白色のレジストが施されると共に、裏面には電極１３３の形成部を除く全面に銅箔が形成される。また、裏面における透孔１３１の周囲には、図１２に示すように、カメラ装置７を弾接するための遮光性を有するクッション材８が両面粘着テープ等で貼り付けられる。
【００７４】
導光体１１と基板１３とは、図１１に示すように、導光体１１に開設された透孔１１１と基板１３に開設された透孔１１３とが同心に配置され、かつ導光体１１に形成された２つの入光部１１４に基板１３に実装された２つのＬＥＤ１２がそれぞれ対向に配置した状態で、第１両面粘着シート１４を介して貼り合わされる。
【００７５】
一方、第２実施形態に係る外装ケース１の内面には、図１３に示すように、レンズカバー設定孔１ｂを中心としてその周囲に、基板１３の外形に相当する外形を有する厚肉部１ｃが形成され、この厚肉部１ｃの内部には、導光体１１及びＬＥＤ１２を内蔵するための一定深さの掘り込み部１ｄが形成される。また、この掘り込み部１ｄ内には、導光体１１に開設される位置決め孔１１８及び基板１３に開設される位置決め孔１３２に嵌入して、外装ケース１に対するイルミネーション装置２の位置決めを行うための位置決め突起９が突設される。イルミネーション装置２は、導光体１１を外装ケース１側に向けた状態で、位置決め孔１１８，１３２内に位置決め突起９を嵌入することにより、外装ケース１に取り付けられる。
【００７６】
これにより、図１４に示すように、外装ケース１の内底面に形成された掘り込み部１ｄ内に導光体１１とＬＥＤ１２とが収納され、厚肉部１ｃの表面には、基板１３が密着される。また、外装ケース１のレンズカバー設定孔１ｂには、内面外周に輪状の遮光塗装６ａが施されたレンズカバー６が取り付けられる。これらレンズカバー設定孔１ｂ、レンズカバー６の遮光塗装６ａ、導光体１１の出光部１１２、基板１３に開設された透孔１３１及びカメラ装置７は、同心に配置される。
【００７７】
図１５に示すように、外装ケース１に開設されたレンズカバー設定孔１ｂの直径をＷｃ、レンズカバー６に施された遮光塗装６ａの内径をＷＬ、出光部１１２の外径をＷｉとしたとき、これら各部のサイズは、Ｗｉ＜ＷＬ＜Ｗｃとなるように調整される。かかる構成によると、イルミネーション装置２に形成される出光部１１２の外径Ｗｉを、外装ケース１に開設されたレンズカバー設定孔１ｂの直径Ｗｃ及びレンズカバー６に施される遮光塗装６ａの内径ＷＬよりも小さくするので、出光部１１２から出射される光によって照光される照光部を斜め方向から見たときにも、この照光部が外装ケース１やレンズカバー６の陰になりにくく、照光部を所定のリング状に視認することができる。
【００７８】
このように構成された第２実施形態に係る照光式電子機器は、ＬＥＤ１２から出射された光が、導光体１１の両端部に形成された入光部１１４から導光体１１内に入射され、導光体１１内を伝播して、導光体１１の中央部に設定された輪状の出光部より外装ケース１の外面に向けて出射される。本例の照光式電子機器は、出光部１１２を介してその対象位置に２つのＬＥＤ１２を配置したので、出光部１１２の全周からほぼ均等な強度の光を出射させることができる。
【００７９】
また、入光部１１４から導光体１１内に入射された光は、導光体１１の表面と裏面との間で全反射を繰り返して出光部１１２側に伝播する。その過程で、伝播する光の一部は導光体１１の裏面から基板１３側に漏れ出るが、基板１３の表面には白色の塗装又は白色のレジストが施されているので、導光体１１の裏面から漏れ出した光は、この白色の塗装又は白色のレジストにて拡散されて、出光部１１２側に戻される。導光体１１内を伝播して透孔１１１に達した光もこれと同様であり、透孔１１１が４５度の角度に傾斜する傾斜面に形成されていること、及びこの傾斜面には白色の塗装が施されていることから、白色の塗装にて拡散された光は、傾斜面に手反射されて、出光部１１２側に戻される。よって、出光部１１２から出射される光の指向性が緩和され、斜め方向から見たときにも、照光部をきれいな輪状に視認することができる。
【００８０】
さらに、本実施形態に係る照光式電子機器は、導光体１１を外装ケース１に形成された掘り込み部１ｄ内に収納すると共に、掘り込み部１ｄの外周を基板１３にて覆ったので、導光体１１の端面から仮に不正な光が漏れ出したとしても、外装ケース１内にはほとんど漏れ出すことがない。よって、外装ケース１とこれに被着されるカバー部材等の間からの光漏れが防止され、電子機器の品位を高く保つことができる。
【００８１】
加えて、基板１３の背面を銅箔にて覆うと共に、その背面側に、遮光性のクッション材８を介してカメラ装置７の前面が突き当てられるので、カメラ装置７内にＬＥＤ１２の出射光が入射することがなく、カメラ装置７の撮像性能に悪影響を与えることがない。
【００８２】
なお、本構成の照光式電子機器においては、カメラ装置７の撮像性能をより良好なものにするため、メインボード５に、外装ケース１に備えられたシャッターボタンの操作状態に応じて、カメラ装置７の駆動と停止、及びＬＥＤ１２の駆動と停止を制御するコントローラを備え、このコントローラは、シャッターボタンが操作されたとき、カメラ装置７を駆動して、ＬＥＤ１２の駆動を停止する構成とすることもできる。かかる構成によると、シャッターボタンの操作に連動してＬＥＤ１２の駆動を停止するので、イルミネーション装置２から出射される光がカメラ装置７に入射せず、カメラ装置７本来の特性を発揮することができる。
【００８３】
また、本構成の照光式電子機器においては、メインボード５に備えられたコントローラにより、外装ケース１に備えられた液晶表示装置に画像を表示する際に、ＬＥＤ１２の駆動を停止する構成とすることもできる。かかる構成によると、液晶表示装置の駆動タイミングとＬＥＤ１２の駆動タイミングとが逆になるので、液晶表示装置とＬＥＤ１２とが同時に駆動されず、照光式電子機器の省電力化を図ることができる。
【００８４】
また、本実施形態においては、透孔１１１の裏面側の傾斜面の傾斜角度を４５度としたが、本発明の要旨はこれに限定されるものではなく、必要に応じて任意の傾斜角度とすることができる。さらに、この傾斜面には、白色の塗装に重ねて、光を遮断するための黒色の塗装をさらに施すこともできる。
【符号の説明】
【００８５】
１    外装ケース
１ａ    外部コネクタ挿入孔
２Ａ，２Ｂ    イルミネーション装置
３    内部コネクタ
４    スプリングピン
５    メインボード
６    レンズカバー
７    カメラ装置
８    クッション材
９    位置決め突起
１１    導光体
１２    ＬＥＤ
１３    基板
１４，１８，１９    両面粘着シート
１５    封止樹脂
１６，１７    透過散乱樹脂
【図１】
2011124089.tif 000003
【図２】
2011124089.tif 000004
【図３】
2011124089.tif 000005
【図４】
2011124089.tif 000006
【図５】
2011124089.tif 000007
【図６】
2011124089.tif 000008
【図７】
2011124089.tif 000009
【図８】
2011124089.tif 000010
【図９】
2011124089.tif 000011
【図１０】
2011124089.tif 000012
【図１１】
2011124089.tif 000013
【図１２】
2011124089.tif 000014
【図１３】
2011124089.tif 000015
【図１４】
2011124089.tif 000016
【図１５】
2011124089.tif 000017
【図１６】
2011124089.tif 000018
【図１７】
2011124089.tif 000019